(57)【要約】【課題】ディスプレイ部から接眼ユニットを取り外した状態においてもディスプレイパネルの表示面を視認しやすく、使い勝手の向上を図る上で有利なビューファインダーおよび撮像装置を提供する。【解決手段】ビューファインダー３０は、本体部３２と、ディスプレイ部３４と、接眼ユニット３６とを含んで構成されている。ディスプレイ部３４は、支持体４０と、ディスプレイパネル４２と、連結機構６０とを含んで構成されている。連結機構６０によって、支持体４０とディスプレイパネル４２とは、ディスプレイパネル４２の背面５２０２が支持体４０に臨んだ第１の倒伏状態と、ディスプレイパネル４２の表示面３４０２（前面５２０４）が支持体４０に臨んだ第２の倒伏状態と、支持体４０からディスプレイパネル４２が起立した起立状態との間で揺動可能となるように連結されている。【選択図】図６
2008288920.tif 000002
【特許請求の範囲】
【請求項１】
カメラボディに装脱可能に装着される本体部と、
前記カメラボディ側で撮像する映像が表示されるディスプレイ部と、
前記ディスプレイ部に装脱可能に装着され前記ディスプレイ部で表示された映像を拡大する接眼ユニットとを備え、
前記ディスプレイ部は、
前記本体部に揺動可能に連結された支持体と、
前記映像が表示される表示面を有するディスプレイパネルと、
前記支持体と前記ディスプレイパネルとを、前記支持体に前記ディスプレイパネルの前記表示面と反対に位置する背面が重ね合わされた第１の倒伏状態と、前記支持体に前記ディスプレイパネルの表示面が重ね合わされた第２の倒伏状態と、前記支持体から前記ディスプレイパネルが起立した起立状態との間で揺動可能に連結する連結機構と、
を備えることを特徴とするビューファインダー。
【請求項２】
前記カメラボディは前後に延在し、
前記本体部が前記カメラボディに装着された状態で、前記支持体は前記本体部に、前記カメラボディの左右方向に延在する第１の仮想軸の周りに揺動可能に連結され、
前記連結機構は、前記支持体と前記ディスプレイパネルとを、前記第１の仮想軸と直交する平面上を延在する第２の仮想軸の周りに揺動可能に連結する第１の回転軸と、前記支持体と前記ディスプレイパネルとを、前記第２の仮想軸と直交する第３の仮想軸の周りに揺動可能に連結する第２の回転軸とを含んで構成されている、
ことを特徴とする請求項１記載のビューファインダー。
【請求項３】
前記第１の倒伏状態は、前記起立状態において前記ディスプレイパネルを前記第３の仮想軸の周りに揺動させたのち、前記ディスプレイパネルを前記第２の仮想軸の周りに揺動させて前記背面を前記支持体に重ね合わせることにより形成され、
前記第２の倒伏状態は、前記起立状態において前記ディスプレイパネルを前記第３の仮想軸の周りに揺動させたのち、前記ディスプレイパネルを前記第２の仮想軸の周りに揺動させて前記表示面を前記支持体に重ね合わせることにより形成される、
ことを特徴とする請求項２記載のビューファインダー。
【請求項４】
前記支持体は、高さよりも幅が大きい細長形状を呈し、
前記連結機構は、前記ディスプレイパネルの端部と、前記支持体の長手方向の端部とを連結している、
ことを特徴とする請求項１記載のビューファインダー。
【請求項５】
前記支持体は、高さよりも幅が大きい細長形状を呈し、
前記ディスプレイパネルは、長方形を呈し、
前記連結機構は、前記ディスプレイパネルの短辺部分と、前記支持体の長手方向の端部とを連結している、
ことを特徴とする請求項１記載のビューファインダー。
【請求項６】
前記支持体と前記ディスプレイパネルは共に板状を呈し、
前記第１、第２の倒伏状態で、前記ディスプレイパネルと前記支持体は平行し、前記起立状態で、前記ディスプレイパネルは前記支持体に対して直交する、
ことを特徴とする請求項１記載のビューファインダー。
【請求項７】
前記接眼ユニットの前記ディスプレイ部への装脱を行なう装脱機構が設けられている、
ことを特徴とする請求項１記載のビューファインダー。
【請求項８】
映像を撮像するカメラボディと、
前記カメラボディに設けられたビューファインダーとを備え、
前記ビューファインダーは、
前記カメラボディに装脱可能に装着される本体部と、
前記カメラボディ側で撮像する映像が表示されるディスプレイ部と、
前記ディスプレイ部に装脱可能に装着され前記ディスプレイ部で表示された映像を拡大する接眼ユニットとを備え、
前記ディスプレイ部は、
前記本体部に揺動可能に連結された支持体と、
前記映像が表示される表示面を有するディスプレイパネルと、
前記支持体と前記ディスプレイパネルとを、前記支持体に前記ディスプレイパネルの前記表示面と反対に位置する背面が重ね合わされた第１の倒伏状態と、前記支持体に前記ディスプレイパネルの表示面が重ね合わされた第２の倒伏状態と、前記支持体から前記ディスプレイパネルが起立した起立状態との間で揺動可能に連結する連結機構とを有する、
ことを特徴とする撮像装置。
【請求項９】
前記カメラボディは前後に延在し、
前記本体部が前記カメラボディに装着された状態で、前記支持体は前記本体部に、前記カメラボディの左右方向に延在する第１の仮想軸の周りに揺動可能に連結され、
前記連結機構は、前記支持体と前記ディスプレイパネルとを、前記第１の仮想軸と直交する平面上を延在する第２の仮想軸の周りに揺動可能に連結する第１の回転軸と、前記支持体と前記ディスプレイパネルとを、前記第２の仮想軸と直交する第３の仮想軸の周りに揺動可能に連結する第２の回転軸とを含んで構成されている、
ことを特徴とする請求項８記載の撮像装置。
【請求項１０】
前記カメラボディは前後に延在し、
前記支持体は、前記本体部が前記カメラボディに装着された状態で、前記カメラボディの左右方向を延在する仮想軸の周りに揺動可能に前記本体部に連結されており、
前記第１の倒伏状態で前記表示面は前記カメラボディの左右側方に向けられ、前記第２の倒伏状態で前記背面は前記カメラボディの左右側方に向けられ、前記起立状態で前記表示面は前後方向または上下方向に向けられる、
ことを特徴とする請求項８記載の撮像装置。
【請求項１１】
映像を撮像するカメラボディと、
前記カメラボディに設けられたビューファインダーとを備え、
前記ビューファインダーは、
前記カメラボディに一体的に設けられた本体部と、
前記カメラボディ側で撮像する映像が表示されるディスプレイ部と、
前記ディスプレイ部に装脱可能に装着され前記ディスプレイ部で表示された映像を拡大する接眼ユニットとを備え、
前記ディスプレイ部は、
前記本体部に揺動可能に連結された支持体と、
前記映像が表示される表示面を有するディスプレイパネルと、
前記支持体と前記ディスプレイパネルとを、前記支持体に前記ディスプレイパネルの前記表示面と反対に位置する背面が重ね合わされた第１の倒伏状態と、前記支持体に前記ディスプレイパネルの表示面が重ね合わされた第２の倒伏状態と、前記支持体から前記ディスプレイパネルが起立した起立状態との間で揺動可能に連結する連結機構とを有する、
ことを特徴とする撮像装置。
【発明の詳細な説明】
【技術分野】
【０００１】
本発明はビューファインダーおよび撮像装置に関する。
【背景技術】
【０００２】
放送局などで使用される業務用の撮像装置として、被写体を撮影して映像信号を生成するカメラボディと、カメラボディに取着され映像信号に基づいて映像を表示するビューファインダーとを備えるものがある。
そして、この種の撮像装置では、撮影者はカメラボディを肩に載せ、ビューファインダーを覗きながら撮影することが行われている。
このような撮像装置のビューファインダーとして、ディスプレイパネルを有し該ディスプレイパネルに映像を表示するディスプレイ部と、ディスプレイ部に装脱可能に装着されディスプレイパネルに表示された映像を拡大する接眼ユニットとが装脱可能に設けられたものが提供されている（特許文献１参照）。
このビューファインダーでは、カメラボディを肩から外し、カメラボディを上や下に向けたりして撮影することができるように、ディスプレイパネルは回転可能に設けられており、接眼ユニットも、ディスプレイ部に装着された状態でディスプレイパネルと一体に回転可能となっている。
また、このビューファインダーでは、撮影状況によって、接眼ユニットをディスプレイ部から取り外し、ディプレイパネルに表示された映像を直接視認しながら撮影できるようになっている。
【特許文献１】特開２００４−１４７２３２
【発明の開示】
【発明が解決しようとする課題】
【０００３】
しかしながら、上記ビューファインダーでは、接眼ユニットをディスプレイ部から取り外した状態では、ディスプレイパネルの表示面は常に一方向に向いた状態であり、例えば、カメラボディを肩に載せた状態でディスプレイパネルの表示面は左右側方に向いた状態であるため、カメラボディを肩に載せた状態で撮影者はディスプレイパネルの表示面をカメラボディの側方から覗き込まなくてはならず、撮影者は不自然な姿勢を強いられ、撮影アングルの自由度も少ない不都合があった。
本発明はこのような事情に鑑みなされたものであり、その目的は、ディスプレイ部から接眼ユニットを取り外した状態においてディスプレイパネルの表示面を視認しやすく、使い勝手の向上を図る上で有利なビューファインダーおよび撮像装置を提供することにある。
【課題を解決するための手段】
【０００４】
上述の目的を達成するため、本発明のビューファインダーは、カメラボディに装脱可能に装着される本体部と、前記カメラボディ側で撮像する映像が表示されるディスプレイ部と、前記ディスプレイ部に装脱可能に装着され前記ディスプレイ部で表示された映像を拡大する接眼ユニットとを備え、前記ディスプレイ部は、前記本体部に揺動可能に連結された支持体と、前記映像が表示される表示面を有するディスプレイパネルと、前記支持体と前記ディスプレイパネルとを、前記支持体に前記ディスプレイパネルの前記表示面と反対に位置する背面が重ね合わされた第１の倒伏状態と、前記支持体に前記ディスプレイパネルの表示面が重ね合わされた第２の倒伏状態と、前記支持体から前記ディスプレイパネルが起立した起立状態との間で揺動可能に連結する連結機構とを備えることを特徴とする。
また本発明の撮像装置は、映像を撮像するカメラボディと、前記カメラボディに設けられたビューファインダーとを備え、前記ビューファインダーは、前記カメラボディに装脱可能に装着される本体部と、前記カメラボディ側で撮像する映像が表示されるディスプレイ部と、前記ディスプレイ部に装脱可能に装着され前記ディスプレイ部で表示された映像を拡大する接眼ユニットとを備え、前記ディスプレイ部は、前記本体部に揺動可能に連結された支持体と、前記映像が表示される表示面を有するディスプレイパネルと、前記支持体と前記ディスプレイパネルとを、前記支持体に前記ディスプレイパネルの前記表示面と反対に位置する背面が重ね合わされた第１の倒伏状態と、前記支持体に前記ディスプレイパネルの表示面が重ね合わされた第２の倒伏状態と、前記支持体から前記ディスプレイパネルが起立した起立状態との間で揺動可能に連結する連結機構とを有することを特徴とする。
また本発明の撮像装置は、映像を撮像するカメラボディと、前記カメラボディに設けられたビューファインダーとを備え、前記ビューファインダーは、前記カメラボディに一体的に設けられた本体部と、前記カメラボディ側で撮像する映像が表示されるディスプレイ部と、前記ディスプレイ部に装脱可能に装着され前記ディスプレイ部で表示された映像を拡大する接眼ユニットとを備え、前記ディスプレイ部は、前記本体部に揺動可能に連結された支持体と、前記映像が表示される表示面を有するディスプレイパネルと、前記支持体と前記ディスプレイパネルとを、前記支持体に前記ディスプレイパネルの前記表示面と反対に位置する背面が重ね合わされた第１の倒伏状態と、前記支持体に前記ディスプレイパネルの表示面が重ね合わされた第２の倒伏状態と、前記支持体から前記ディスプレイパネルが起立した起立状態との間で揺動可能に連結する連結機構とを有することを特徴とする。
【発明の効果】
【０００５】
本発明によれば、ディスプレイパネルの表示面を直接視認する場合、ディスプレイパネルを起立状態にでき、また、起立状態としたディスプレイパネルを本体部上で回転できるので、撮影者は不自然な姿勢を強いられることがなく、ディスプレイパネルの表示面を視認しやすく、自由に撮影アングルを変えることができ、使い勝手の向上を図る上で有利となる。
【発明を実施するための最良の形態】
【０００６】
次に、本発明の実施の形態について図面を参照して説明する。
まず、本実施の形態の撮像装置について説明し、次いで、撮像装置に装着されるビューファインダーについて説明する。
図１、図２はビューファインダー３０が装着された撮像装置１０の斜視図、図３はディスプレイパネル４２の第１の倒伏状態を示す撮像装置１０の斜視図、図４はディスプレイパネル４２の表示面３４０２が前方を向いた起立状態を示す撮像装置１０の斜視図、図５はディスプレイパネル４２の表示面３４０２が後方を向いた起立状態を示す撮像装置１０の斜視図、図６はディスプレイパネル４２の第２の倒伏状態を示す撮像装置１０の斜視図、図７は撮像装置１０の構成を示すブロック図である。
【０００７】
本実施の形態において撮像装置１０は放送局などで使用される業務用のビデオカメラである。
図１に示すように、撮像装置１０は、前後に延在するカメラボディ１４を備え、カメラボディ１４の前部にレンズ鏡筒１２が装着されている。
なお、本明細書において左右は、撮像装置１０を後方から見た状態でいうものとし、また、光学系の光軸方向で被写体側を前方といい、撮像素子側を後方という。
レンズ鏡筒１２は、撮影光学系１６を収容するものである。
撮影光学系１６は、被写体像を図７に示す撮像素子１４Ｂに導くものである。なお、撮像素子１４Ｂは、ＣＣＤ、あるいは、Ｃ−ＭＯＳセンサなど従来公知のさまざまな撮像素子が採用可能である。
【０００８】
図１に示すように、カメラボディ１４は、外装を構成する筐体１８を有している。
筐体１８は、前方に臨む前面１８Ａ、後方に臨む後面１８Ｂ、左右側方に臨む左右の側面１８Ｃ、１８Ｄ、上方に臨む上面１８Ｅ、下方に臨む下面１８Ｆを備えている。
本実施の形態では、筐体１８は、左右の側面１８Ｃ、１８Ｄの間の左右方向の幅よりも上面１８Ｅと後面１８Ｆとの間の上下方向の高さが大きい寸法で形成され、この高さよりも前面１８Ａと後面１８Ｂとの間の前後方向の長さが大きい寸法で形成され、したがって、筐体１８は前後に長い直方体状を呈している。
図２に示すように、筐体１８の前部には、後述するビューファインダー３０を装脱可能に装着するためのカメラ本体側取り付け部１９が設けられ、カメラ本体側取り付け部１９の後方に持ち運び用のハンドル２０が設けられている。
図１に示すように、下面１８Ｅには、撮像装置１０を肩に載せるための上方に窪んだ肩パッド２２が設けられている。肩パッド２２は、弾性および柔軟性を有する部材で形成されている。
【０００９】
次に、図７を参照してカメラボディ１４の制御系の構成について説明する。
図７に示すように、カメラボディ１４は、前記の撮像素子１４Ｂの他に、プリズム１４Ａ、信号処理部１４Ｃ、制御部１４Ｄ、操作部１４Ｅ、表示部１４Ｆ、記録再生部１４Ｇ、Ｉ／Ｆ部１４Ｈ、電源部１４Ｉなどを含んで構成されている。
本実施の形態では、３色（赤、緑、青）のそれぞれに対応して３つの撮像素子１４Ｂが設けられており、プリズム１４Ａは、撮影光学系１６から導かれた被写体像を構成する光束を３色（赤、緑、青）に分離して、各色に対応した撮像素子１４Ｂに導くものである。
信号処理部１４Ｃは、各撮像素子１４Ｂを駆動すると共に、各撮像素子１４Ｂから供給される映像信号に対して、例えば、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データを生成するなどの一連の前処理を行い、さらに、前処理がなされた映像データを所定の圧縮方式によって圧縮（エンコード）することにより、前記の記録用の映像データを生成するものである。生成された記録用の映像データは、制御部１４Ｄを介して記録再生部１４Ｇに供給される。
また、信号処理部１４Ｃは、デジタル信号に処理される前のアナログ信号の映像信号をコネクタ１４Ｊを介して後述するビューファインダー３０に供給することで撮影中の映像をビューファインダー３０に表示させる。また、前記前処理がなされた映像信号をコネクタ１４Ｊを介して外部のディスプレイ装置などに供給することで撮影中の映像を外部のディスプレイ装置に表示させる。
【００１０】
記録再生部１４Ｇは、信号処理部１４Ｃから制御部１４Ｄを介して供給される記録用の映像データを、記録媒体に記録し、また、前記記録媒体から再生した映像データを制御部１４Ｄを介してビューファインダー３０あるいは外部のディスプレイ装置に供給するものである。
前記記録媒体としては、例えば、磁気記録テープ、光ディスク、あるいは、ハードディスクなどの従来公知のさまざまな記録媒体が利用可能である。
Ｉ／Ｆ部１４Ｈは、制御部１４Ｄとビューファインダー３０との間で前記映像信号の授受やその授受にまつわる制御信号などのやり取りを行うものである。
操作部１４Ｅは、撮像装置１０の動作にまつわる種々の設定を行うために操作されるスイッチやボリュームなどで構成されている。
表示部１４Ｆは、撮像装置１０の動作状態を表示するディスプレイやＬＥＤランプなどで構成されている。
制御部１４Ｄは、上述した信号処理部１４Ｃ、Ｉ／Ｆ部１４Ｈ、操作部１４Ｅ、表示部１４Ｆ、記録再生部１４Ｇの制御を司るものである。
具体的には、制御部１４Ｄは、ＣＰＵ、ワーキングエリアを提供するＲＡＭ、制御プログラムなどを格納するＲＯＭ、信号処理部１４Ｃ、Ｉ／Ｆ部１４Ｈ、操作部１４Ｅ、表示部１４Ｆとの間で制御信号やデータ信号を授受するための周辺ＬＳＩなどを含むマイクロコンピュータによって構成されており、前記ＣＰＵが前記ＲＯＭの制御プログラムを実行することによって種々の制御動作を実行する。
【００１１】
電源部１４Ｉは、不図示の外部電源から供給される電力に基づいて生成した電力を、撮像素子１４Ｂ、信号処理部１４Ｃ、Ｉ／Ｆ部１４Ｈ、操作部１４Ｅ、表示部１４Ｆ、記録再生部１４Ｇに供給することで、それら各部を動作させるものである。また、電源部１４Ｉからの電力はコネクタ１４Ｊを介してビューファインダー３０に供給されることでビューファインダー３０を動作させるものである。
なお、本実施の形態では、記録再生部１４Ｇがカメラボディ１４に内蔵されている場合について説明したが、記録再生部１４Ｇがカメラボディ１４の外部に設けられていてもよい。その場合には、記録再生部１４Ｇとカメラボディ１４とをケーブルで接続し、ケーブルを介して映像信号などの授受を行うようにすればよい。
【００１２】
次に、ビューファインダー３０について説明する。
図１、図２に示すように、ビューファインダー３０は、ディスプレイユニット３１と、接眼ユニット３６とを含んで構成されている。
ディスプレイユニット３１は、本体部３２と、ディスプレイ部３４とを含んで構成されている。
本体部３２には、ディスプレイ部３４を動作させるための回路が収容されている。
ディスプレイ部３４は表示面３４０２（図３）を備え、ディスプレイ部３４は、カメラボディ１４から供給される映像信号に基づいて表示面３４０２に映像を表示するものである。
接眼ユニット３６はディスプレイ部３４の表示面３４０２に表示される映像を拡大表示するものである。
本実施の形態では、ディスプレイ部３４は映像を表示する表示装置として液晶ディスプレイ装置を含んで構成されている。
なお、表示装置は液晶ディスプレイ装置に限定されるものではなく、有機ＥＬディスプレイ装置など従来公知のさまざまな表示装置が採用可能である。
【００１３】
図８は本体部３２およびディスプレイ部３４の斜視図、図９は図８のＡ矢視図、図１０は図８のＢ矢視図、図１１は図８のＣ矢視図である。
図８に示すように、本体部３２は、ケース３２０２を有し、ケース３２０２にはカメラボディ側取り付け部１９（図２）に装脱可能に装着される本体部側取り付け部３２０４が設けられている。
本実施の形態では、本体部側取り付け部３２０４は、本体部３２がカメラボディ１４に取り付けられた状態で後方に臨む後面に、左右方向に延在形成された係合溝３２０４Ａを含んで構成されている。なお、本体部側取り付け部３２０４とカメラボディ側取り付け部１９と装脱する構成には従来公知のさまざまな構造が採用可能である。
図１、図１０に示すように、本体部３２がカメラボディ１４に取り付けられた状態で、ケース３２０２が前方に臨む前面に、ディスプレイ部３４の動作にまつわる種々の操作を行うための操作部材３２１０が設けられ、ケース３２０２が下方に臨む下面にも図示しない操作部材が設けられている。
図１０に示すように、ケース３２０２の前面に設けられた操作部材３２１０は、複数のボリューム３２１０Ａ、複数の切り替えスイッチ３２１０Ｂ、複数の押しボタンスイッチ３２１０Ｃなどを含んでいる。
また、図５、図８乃至図１０に示すように、本体部３２がカメラボディ１４に取り付けられた状態で、本体部３２が左外側方に臨む面は、ディスプレイ部３４が連結される連結面３２２０として形成されている。
【００１４】
ディスプレイ部３４は、図８乃至図１０に示すように、支持体４０と、ディスプレイパネル４２と、連結機構６０とを含んで構成されている。
支持体４０は、本体部３２の連結面３２２０上に回転可能に連結されている。この支持体４０は、支軸４４を中心に本体部３２により揺動可能に支持され、図８において符号Ｌ１は支持体４０の回転中心（支軸４４の軸心）である第１の仮想軸を示し、この第１の仮想軸Ｌ１は、本体部３２がカメラボディ１４に取り付けられた状態で、カメラボディ１４の左右方向に延在している。
なお、支軸４４には摩擦抵抗が付与され、支持体４０は所望の揺動角度で保持されるように構成されており、このような機構として、摩擦抵抗式のものやクリック機構式のものなど従来公知のさまざまな構造が採用可能である。
支持体４０は、上下の高さよりも左右方向の幅が大きい細長形状の板材で形成されている。
【００１５】
図８に示すように、支持体４０の長手方向の端部で該長手方向と直交する方向の両側部に軸受け部４６がそれぞれ膨出形成されている。
また、図８に示すように、支持体４０の長手方向と直交する方向の両側のうちの一方の側部に円弧状の軸受け壁４８が設けられ、また、図１０に示すように、前記両側のうちの他方の側部に係止凹部５０が設けられている。
【００１６】
図８乃至図１０に示すように、ディスプレイパネル４２は、長方形板状のケース５２を有し、ケース５２に前記液晶ディスプレイ装置が収容されている。
ケース５２は、前面５２０２と、前面５２０２の反対側に位置する背面５２０４とを有している。
前面５２０２は、開口５２０６が形成された前面板５２１０と、開口５２０６の内側に位置するように設けられた表示面３４０２とを含んで構成されている。
図１０に示すように、２つの軸受け部４６の間には、断面が矩形の第１の回転軸５４が挿入され、第１の回転軸５４の両端の小径軸５６が軸受け部４６に揺動可能に結合される。
図８、図１０において符号Ｌ２は第１の回転軸５４の軸心であり、第１の回転軸５４の回転中心である第２の仮想軸を示す。
本実施の形態では、第２の仮想軸Ｌ２は第１の仮想軸Ｌ１と直交する平面上を延在している。
図１０にケース５２の２つの短辺のうちの一方の短辺は、第１の回転軸５４の延在方向の中間部に対して第２の回転軸５８により揺動可能に結合される。
図８、図１０において符号Ｌ３は第１の回転軸５４とケース５２とを連結する第２の回転軸５８の軸心であり、すなわち、ケース５２（ディスプレイパネル４２）の回転中心である第３の仮想軸を示す。
本実施の形態では、第３の仮想軸Ｌ３は第２の仮想軸Ｌ２と直交している。
【００１７】
したがって、本実施の形態では、連結機構６０は、ディスプレイパネル４２の短辺部分と、支持体４０の長手方向の端部とを連結しており、本体部３２がカメラボディ１４に取り付けられた状態で第１の回転軸５４は、カメラボディ１４の上下方向に延在している。
また、本実施の形態では、軸受け部４６、第１の回転軸５４、第２の回転軸５８などによって連結機構６０が構成され、連結機構６０は、支持体４０とディスプレイパネル４２とを第２の仮想軸Ｌ２の周りに揺動可能に連結し、かつ、支持体４０とディスプレイパネル４２とを第３の仮想軸Ｌ３の周りに揺動可能に連結している。
連結機構６０は、摩擦抵抗が小径軸５６に付与されることで第１の回転軸５４が第２の仮想軸Ｌ２周りにおいて所望の揺動角度で保持されるように構成され、かつ、摩擦抵抗が第２の回転軸５８に付与されることでディスプレイパネル４２が第３の仮想軸Ｌ３周りにおいて所望の揺動角度で保持されるように構成されている。
連結機構６０として、このような摩擦抵抗式のものやクリック機構式のものなど従来公知のさまざまな構造が採用可能である。
【００１８】
連結機構６０によって、支持体４０とディスプレイパネル４２とは、図３に示すようにディスプレイパネル４２の背面５２０２が支持体４０に臨んだ第１の倒伏状態と、図６に示すようにディスプレイパネル４２の表示面３４０２（前面５２０４）が支持体４０に臨んだ第２の倒伏状態と、図４に示すように支持体４０からディスプレイパネル４２が起立した起立状態との間で揺動可能となるように連結されている。
第１の倒伏状態は、連結機構６０によって、起立状態にあるディスプレイパネル４２を第３の仮想軸Ｌ３の周りに揺動させディスプレイパネル４２を第２の仮想軸Ｌ２の周りに揺動させディスプレイパネル４２の背面５２０２を支持体４０に重ね合わせることで形成される。
第２の倒伏状態は、連結機構６０によって、起立状態にあるディスプレイパネル４２を第３の仮想軸Ｌ３の周りに揺動させ支持体４０に臨ませた状態でディスプレイパネル４２を第２の仮想軸Ｌ２の周りに揺動させディスプレイパネル４２の表示面３４０２（前面５２０４）を支持体４０に重ね合わせることで形成される。
そして、図３に示すように、本体部３２がカメラボディ１４に取り付けられた状態において、ディスプレイパネル４２が第１の倒伏状態となると、ディスプレイパネル４２の表示面３４０２は、カメラボディ１４の左外側方に向く。
また、図６に示すように、本体部３２がカメラボディ１４に取り付けられた状態において、ディスプレイパネル４２が第２の倒伏状態となると、ディスプレイパネル４２の背面５２０２は、カメラボディ１４の左外側方に向く。
また、本体部３２がカメラボディ１４に取り付けられた状態において、ディスプレイパネル４２を起立状態として第３の仮想軸Ｌ３回りにディスプレイパネル４２を揺動することにより、ディスプレイパネル４２の表示面３４０２を前方に向けた状態（図４）と、ディスプレイパネル４２の表示面３４０２を後方に状態（図５）との間で動かすことができる。
【００１９】
図１２、図１３は接眼ユニット３６の斜視図、図１４は接眼ユニット３６の装着状態を示す平面図、図１５は図１４のＡ矢視図、図１６は図１４のＢ矢視図である。
図１２、図１３に示すように、接眼ユニット３６は、ミラーおよび複数のレンズを含む光学系３６０２と、光学系を収容する筒状のハウジング３６０４と、ハウジング３６０４の長手方向の一方の端部に設けられた接眼ユニット側取り付け部３６０６と、ハウジング３６０４の長手方向の他方の端部に設けられたアイピース３６０８などを含んで構成されている。
接眼ユニット側取り付け部３６０６は、表示面３４０２に対応した大きさの横長の開口３６１０を有している。
開口３６１０の周囲に沿って、ディスプレイパネル４２の前面板５２１０を押圧可能な枠部３６１２が延在形成されている。
また、開口３６１０の上部には、軸受け壁４８に装脱される支軸６２が設けられ、開口３６１０の下部には、係止凹部５０に係脱する係止爪６４が設けられている。
図１４に示すように、接眼ユニット３６のディスプレイ部３４への装着状態は、第１の倒伏状態において、枠部３６１２（図１２）が前面板５２１０を押圧することで形成される。
より詳細に説明すると、第１の倒伏状態において、図１４に示すように支軸６２が軸受け壁４８に係合され、図１６に示すように係止爪６４が係止凹部５０に係止される。これにより、図１４、図１６に示すように枠部３６１２が前面板５２１０を押圧し、図１４乃至図１６に示すように接眼ユニット３６のディスプレイ部３４への装着状態が形成される。
したがって、接眼ユニット３６のディスプレイ部３４への装脱を行なう装脱機構が、支軸６２、軸受け壁４８、係止爪６４、係止凹部５０により構成されている。なお、このような装脱機構として従来公知のさまざまな構造が採用可能である。
【００２０】
ディスプレイ部３４から接眼ユニット３６を取り外す際には、ディスプレイ部３４に接眼ユニット３６が装着された状態で、係止爪６４を係止凹部５０から外れる方向に操作する。
係止爪６４が係止凹部５０から外れたならば、支軸６２を支点に接眼ユニット３６を回動させ、支軸６２を軸受け壁４８から外す。
これにより、ディスプレイ部３４から接眼ユニット３６が取り外される。
【００２１】
次に、撮像装置１０およびビューファインダー３０の使用方法について説明する。
図１、図２に示すように、第１の倒伏状態のディスプレイ部３４に接眼ユニット３６を装着した場合には、撮影者はアイピース３６０８内を覗くことにより、拡大された表示面３４０２の映像を視認することができる。
この場合、ディスプレイパネル４２および接眼ユニット３６を第１の仮想軸Ｌ１（図８）を中心に回動させることで撮影アングルを上下方向に任意に変えることができる。
したがって、例えば、撮影者は肩にカメラボディ１４の肩パッド２２を載せても、カメラボディ１４を抱えてもアイピース３６０８内を楽な姿勢で覗くことができる。
【００２２】
また、図３に示すように、第１の倒伏状態のディスプレイ部３４から接眼ユニット３６を取り外し、図５に示すように、ディスプレイパネル４２を第２の仮想軸Ｌ２（図８）を中心に揺動させ起立状態としたのち、第３の仮想軸Ｌ３（図８）を中心に揺動させて表示面３４０２を後方に向けた場合、撮影者は肩にカメラボディ１４の肩パッド２２を載せても表示面３４０２は後方を向いているので、撮影者は表示面３４０２を直接肉眼で見ることができる。また、カメラボディ１４を抱えてもディスプレイパネル４２を第１の仮想軸Ｌ１を中心に回転させることができるので、撮影者は表示面３４０２を楽な姿勢で直接肉眼で見ることができ、したがって、表示面３４０２を直接肉眼で見ながら撮影アングルを上下方向に変えつつ撮影を行うことも可能となる。
したがって、撮影者はカメラボディ１４を肩に載せても抱えてもディスプレイパネル４２の表示面３４０２を楽な姿勢で直接視認しつつ撮影を行うことが可能となる。
【００２３】
また、ディスプレイ部３４を、図３に示す第１の倒伏状態から第２の仮想軸Ｌ２（図８）を中心に揺動させ、図４に示す表示面３４０２を前方に向けた起立状態とすれば、撮影者は、撮像装置１０の前方に位置した状態で、表示面３４０２に表示される映像を視認しつつ自らの撮影を行え、あるいは、撮影者の後方の被写体の撮影を行うことができる。
【００２４】
また、図５に示すように、撮像装置１０を携帯する際には、表示面３４０２を後方に向けた起立状態のディスプレイパネル４２を第２の仮想軸Ｌ２を中心に揺動させ、図６に示すように、表示面３４０２を支持体４０に重ね合わせた第２の倒伏状態とすることで、ディスプレイパネル４２がカメラボディ１４上に占有するスペースが縮小される。
【００２５】
本実施の形態によれば、ディスプレイ部３４から接眼ユニット３６を取り外してディスプレイパネル４２の表示面３４０２を直接視認する場合、ディスプレイパネル４２を起立状態にでき、しかも、起立状態としたディスプレイパネル４２を本体部３２上で回転できるので、撮影者は不自然な姿勢を強いられることがなく、ディスプレイパネル４２の表示面３４０２を視認しやすく、自由に撮影アングルを変えることができ、使い勝手の向上を図る上で有利となる。
また、本実施の形態によれば、ディスプレイ部３４を第２の倒伏状態とすれば、撮像装置１０をコンパクト化でき携帯性を高める上で有利となることは無論のこと、かつ、表示面３４０２が支持体４０に重ね合わされて外方に露出しない状態となるので、表示面３４０２の保護を図る上でも有利となる。
【００２６】
また、本実施の形態では、ディスプレイパネル４２は支持体４０を介して第１の仮想軸Ｌ１を中心として揺動するため、起立状態にあるディスプレイパネル４２は、本体部３２の前端に位置する前方位置と、本体部３２の後端に位置する後方位置とに選択的に位置させることができる。
そして、ディスプレイパネル４２は第３の仮想軸Ｌ３を中心として揺動するため、ディスプレイパネル４２は、前方位置と後方位置との双方において表示面３４０２を後方に向けた状態とすることができる。
したがって、撮影者が肩にカメラボディ１４の肩パッド２２を載せてディスプレイパネル４２の表示面３４０２を視認する場合、ディスプレイパネル４２を前方位置あるいは後方位置に動かすことで、撮影者の眼と表示面３４０２との間の距離を調整することができ、撮影者の視力や撮影姿勢に応じて撮影者の眼と表示面３４０２との間の距離を調整することができ使い勝手を高める上で有利となる。
【００２７】
なお、本実施の形態では、撮像装置１０のカメラボディ１４に装脱可能に装着に装着されるビューファインダー３０について説明したが、ビューファインダー３０の本体部３２がカメラボディ１４に一体的に設けられていてもよく、そのような撮像装置１０についても本発明は無論適用される。
【図面の簡単な説明】
【００２８】
【図１】ビューファインダー３０が装着された撮像装置１０の斜視図である。
【図２】ビューファインダー３０が装着された撮像装置１０の斜視図である。
【図３】ディスプレイパネル４２の第１の倒伏状態を示す撮像装置１０の斜視図である。
【図４】ディスプレイパネル４２の表示面３４０２が前方を向いた起立状態を示す撮像装置１０の斜視図である。
【図５】ディスプレイパネル４２の表示面３４０２が後方を向いた起立状態を示す撮像装置１０の斜視図である。
【図６】ディスプレイパネル４２の第２の倒伏状態を示す撮像装置１０の斜視図である。
【図７】撮像装置１０の構成を示すブロック図である。
【図８】本体部３２およびディスプレイ部３４の斜視図である。
【図９】図８のＡ矢視図である。
【図１０】図８のＢ矢視図である。
【図１１】図８のＣ矢視図である。
【図１２】接眼ユニット３６の斜視図である。
【図１３】接眼ユニット３６の斜視図である。
【図１４】接眼ユニット３６の装着状態を示す平面図である。
【図１５】図１４のＡ矢視図である。
【図１６】図１４のＢ矢視図である。
【符号の説明】
【００２９】
１０……撮像装置、１４……カメラボディ、３０……ビューファインダー、３２……本体部、３４……ディスプレイ部、３４０２……表示面、３６……接眼ユニット、４０……支持体、４２……ディスプレイパネル、６０……連結機構。
【図１】
2008288920.tif 000003
【図２】
2008288920.tif 000004
【図３】
2008288920.tif 000005
【図４】
2008288920.tif 000006
【図５】
2008288920.tif 000007
【図６】
2008288920.tif 000008
【図７】
2008288920.tif 000009
【図８】
2008288920.tif 000010
【図９】
2008288920.tif 000011
【図１０】
2008288920.tif 000012
【図１１】
2008288920.tif 000013
【図１２】
2008288920.tif 000014
【図１３】
2008288920.tif 000015
【図１４】
2008288920.tif 000016
【図１５】
2008288920.tif 000017
【図１６】
2008288920.tif 000018